(57)【特許請求の範囲】
【請求項１】
前後一対に配設した第１、第２下部針床と、該下部針床のそれぞれの上位に配設した第１、第２上部針床を備えた４枚ベッド横編機を使用して、第１下部針床と第２上部針床の編針を使って編まれるリブ編みを含む第１編地と、第１上部針床と第２下部針床の編針を使って編まれるリブ編みを含む第２編地を、編み幅の側端部において連結して筒状に編成するとともに各編地を表糸と裏糸によりプレーティング編成する方法であって、第１編地を編成する際に表糸を裏糸よりも第２上部針床に近づけ、第２編地を編成する際に表糸を裏糸よりも第１上部針床に近づくように表糸用の給糸口の位置をその都度変位させて編成する４枚ベッド横編機による筒状編地のプレーティング編成方法。
【請求項２】
表糸を針床間の間隙の中心よりも第２上部針床側に近づけて第１編地を編成し、表糸を針床間の間隙の中心よりも第１上部針床側に近づけて第２編地を編成する請求項１に記載の４枚ベッド横編機による筒状編地のプレーティング編成方法。
【請求項３】
裏糸を針床間の間隙の中心よりも第１下部針床側に近づけて第１編地を編成し、裏糸を針床間の間隙の中心よりも第２下部針床側に近づけて第２編地を編成する請求項１に記載の４枚ベッド横編機による筒状編地のプレーティング編成方法。
【発明の詳細な説明】
技術分野
本発明は４枚ベッド横編機によるプレーティング編成、殊にセーターやカーディガン等のニットウエアをシームレスに編成する際のプレーティング編成を行う方法に関する。
背景技術
プレーティングとは、例えばリバーシブル編地を得る目的のため、あるいは主糸にウーリーナイロン等の弾性糸を添え糸として編み込んで編地の伸縮性を高める目的のためなどに使用される編成技術である。プレーティング編成では、形成された編目において表糸が表側に現れ、裏糸がその後側（奥側）に隠れるような給糸条件にして表糸で裏糸をくる（包）めるようにする。そのためプレーティングでは給糸位置において裏糸が表糸よりもフック側に位置するように表糸を裏糸よりも低くして鉛直方向において表糸と裏糸を離間させて編針で捕捉させる特殊なヤーンフィーダーが使用される。例えば表糸の給糸口の位置を裏糸の給糸口よりも先行させたヤーンフィーダーや表糸の給糸口の高さを裏糸の給糸口の高さよりも低くしたヤーンフィーダー、あるいはこれら両方を備えたものがある。
これらヤーンフィーダーは、前後一対の針床だけを備えた汎用タイプの横編機、いわゆる２枚ベッド横編機ではうまく働き綺麗なプレーティング編地を得ることができる。しかしながら特公平１−５７１７３号公報に開示されるような前後一対に配設した第１、第２下部針床と、該下部針床のそれぞれの上位に配設した第１、第２上部針床を備えたいわゆる４枚ベッド横編機において問題があった。このような構造の横編機は、特に前後に二層状に編まれる前側編地と後側編地が編み幅の側端で連結されて筒状に編まれるシームレスニットウエアを編成する目的で開発されたものである。シームレスニットウエアの編成では、前側編地の表目を第１下部針床の編針を使い、その裏目を第２上部針床の編針を使って編む。そして後側編地の表目を第２下部針床の編針を使い、その裏目を第１上部針床の編針を使って編む。このような方法で編まれたリブ編み組織を含む筒状のプレーティング編地では、所々で表糸と裏糸の配置が入れ替わって斑のある編地となってしまい、綺麗なプレーティング編地を得ることができない。
これは上部針床が下部針床に比べ水平に近い状態に配置されているという４枚ベッド横編機の針床の構造に起因するもので、上部針床の編針では、編針の進退軌跡がより水平に近くなるために表糸の引き込みのタイミングと裏糸の引き込みのタイミングに十分な時間差がない状態でフックで引き込まれるために表糸と裏糸の位置関係は不安定となり、時に表糸と裏糸の配置が入れ替わってしまうことが原因であることを本発明者は鋭意研究の結果つきとめた。
本発明は、上記した４枚ベッド横編機によるプレーティング編成における問題に鑑みてなされたもので表糸と裏糸の給糸条件を安定させ斑のでない綺麗なプレーティング編地を得るための編成方法を提供することを目的とする。
発明の開示
本発明によれば前後一対に配設した第１、第２下部針床と、該下部針床のそれぞれの上位に配設した第１、第２上部針床を備えた４枚ベッド横編機を使用して、第１下部針床と第２上部針床の編針を使って編まれるリブ編みを含む第１編地と、第１上部針床と第２下部針床の編針を使って編まれるリブ編みを含む第２編地を、編み幅の側端部において連結して筒状に編成するとともに各編地を表糸と裏糸によりプレーティング編成する方法であって、第１編地を編成する際に表糸を裏糸よりも第２上部針床に近づけ、第２編地を編成する際に表糸を裏糸よりも第１上部針床に近づくように表糸用の給糸口の位置をその都度変位させて編成する。
好ましくは表糸を針床間の間隙の中心よりも第２上部針床側に近づけて第１編地を編成し、表糸を針床間の間隙の中心よりも第１上部針床側に近づけて第２編地を編成する。
好ましくは裏糸を針床間の間隙の中心よりも第１下部針床側に近づけて第１編地を編成し、裏糸を針床間の間隙の中心よりも第２下部針床側に近づけて第２編地を編成する。
発明を実施するための最良の形態
次に本発明の好適な実施例を図面と共に以下詳細に説明する。第１図は前後一対に配設した前下部針床ＦＤ、後下部針床ＢＤと、これら各下部針床の上位に配設した前上部針床ＦＵ、後上部針床ＢＵを備えた４枚ベッド横編機の歯口部分の側面図を示す。図は前側編地と後側編地とで構成される筒状編地、例えばプルオーバーセーターの身頃部１の前身頃３が前下部針床ＦＤの編針８と後上部針床ＢＵの編針９によりリブ編編成される状態を示す。
第２図は、セーターの身頃部１を時計針方向に周回編成する場合の表糸１１と裏糸１２の第１図の線Ｘ−Ｘにおける配置を示す。図中の１点鎖線１５は前後針床間の間隙の中心線を示す。表糸１１用のヤーンフィーダー１３は図示しないが編成条件に応じて任意に１８０度回転可能であるとともに回転中心からオフセットさせた位置に給糸口を設けた構成のものが使用される。一方、裏糸１２用のヤーンフィーダー１４は、編成時に裏糸１２用の給糸口が表糸１１用の給糸口よりも遅れた位置をとる構成のものが使用される。
第２−ａ図は右方向編成時に後身頃５が後下部針床ＢＰの編針と前上部針床ＦＵの編針を使ってリブ編み編成される際の表糸１１と裏糸１２の位置関係を示す。表糸１１は歯口７の中心を越えて前上部針床ＦＵに近づくようにセットされ、更に裏糸１２よりも先行して配置される。このため上部針床の編針に対してプレーティングの表糸１１と裏糸１２が前後方向に離間して配置されるので給糸条件が改善され、表糸１１で裏糸１２をより確実にくるむことができる。一方、下部針床の編針では表糸１１と裏糸１２の配置が逆配置となり給糸条件の悪化を招くように考えられるが、下部針床は上部針床よりも垂直に近い状態で配置されているため相殺される。このような給糸方法にしたがって編成することで上部針床と下部針床のいずれの編針で編まれた編目にも従来のように表糸と裏糸が入れ替わって斑が発生することはない。
第２−ｂ図は左方向編成時に前身頃３が前下部針床ＦＤの編針と後上部針床ＢＵの編針を使ってリブ編み編成される際の表糸１１と裏糸１２の位置関係を示す。表糸１１は裏糸１２よりも先行し、更に歯口の中心を越えて後上部針床ＢＵに近づくよう変位されていて先と同様に前後の針床のそれぞれにおいて表糸１１で裏糸１２をくるむことができる。
このように編成方向が反転される毎に裏糸１２に対し表糸１１が編成に使用される側の上部針床に近づくように変位させながら編成を行うことで斑のない綺麗な筒状のプレーティング編地を編成することができる。
上記では身頃部１を時計針方向に周回編成する例を示したが身頃部１を反時計針方向に周回編成する場合には糸の配置は上記と逆となり、左方向編成時に表糸１１が裏糸１２に対し前上部針床ＦＵ側に近づくようにセットされた状態で後身頃５が編成され、右方向編成時に表糸１１が裏糸１２に対し後上部針床ＢＵ側に近づくようにセットされた状態で前身頃３が編成される。同様に後下部針床ＢＤの編針と前上部針床ＦＵの編針を使って前身頃を、前下部針床ＦＤの編針と後上部針床ＢＵの編針を後身頃を編成する場合には上記と逆の糸配置とする。
次にカーディガンのような前身頃に前開き部分を有するような筒状編地を周回編成する場合について説明する。
第３図は、前身頃３’に前開き部分６を有するカーディガンの身頃部１’を周回編成する場合の表糸１１と裏糸１２の配置を示す。前身頃３’は前下部針床ＦＤの編針と後上部針床ＢＵの編針を使い、後身頃５’は後下部針床ＢＤの編針と前上部針床ＦＵの編針を使って編成される。ヤーンフィーダーは先の例と同じものが使われる。
身頃部１’の編成は、図に示すように▲１▼後身頃→▲２▼左前身頃→▲３▼左前身頃→▲４▼後身頃→▲５▼右前身頃→▲６▼右前身頃、と”Ｃ”字を描くように給糸口を前開き部分６で折り返しながら▲１▼〜▲６▼の順で行われる。この場合も先の実施例と同様に後上部針床ＢＵの編針が作動する前身頃３’のコース編成▲２▼、▲３▼、▲５▼および▲６▼では、表糸１１は裏糸１２によりも前上部針床ＦＵに近づくようにセットされ、前上部針床ＦＵの編針が作動する後身頃５’のコース編成▲１▼と▲４▼では、表糸１１は裏糸１２によりも後上部針床ＢＵに近づくようにセットされた状態で編成される。
上記した実施例では、表糸を歯口中心から編成が行われる上部針床側に近づけるようにした例を示したが、これに代えて裏糸のほうを編成が行われる下部針床側に近づくように変位させてよい。しかし裏糸の変位量を大きくし過ぎるとフックで捕捉できなくなるので捕捉できる範囲内に調整する。この場合には例えば第４図に示すような単一のヤーンフィーダーに表糸用の給糸口１９を給糸部１８の中心に設け、裏糸用の給糸口２０を表糸用の給糸口１９の上位に給糸部１８の側面を開口させて設けるとともに給糸部１８が表糸用の給糸口１９を回転の中心として１８０度回転可能に構成し、編成条件に応じて回転させて裏糸１２の配置を入れ替えれるようなヤーンフィーダーを製作すればよく比較的簡単な構成で実施できるというメリットがある。要は編成が行われる上部針床の編針に対して表糸を裏糸よりも近づけるようにして表糸と裏糸が前後方向に離間配置されることが重要となる。
産業上の利用可能性
上記したように本発明では、４枚ベッド横編機を使用してリブ編みを含む筒状のプレーティング編地を編成する際に前側編地か後側編地の編成に使用される側の上部針床の編針に表糸が裏糸よりも近づくようにその都度変位させながら給糸するために編成条件の悪い上部針床においても表糸で裏糸をより確実にくるむことができ綺麗なプレーティング編地を得ることができる。
【図面の簡単な説明】
第１図は４枚ベッド横編機の歯口部分の側面図を示した図である。第２−ａ図は右方向編成中の表糸と裏糸の位置関係を示し、第２−ｂ図は左方向編成中の表糸と裏糸の位置関係を示した図である。第３図はカーディガンのような前身頃に前開き部分を有するような筒状編地を周回編成する場合の表糸と裏糸の位置関係を示した図である。第４図は本発明の編成方法に使用されるヤーンフィーダーの一例を示した図である。
【図１】
0003887407.tif 000002
【図２】
0003887407.tif 000003
【図３】
0003887407.tif 000004
【図４】
0003887407.tif 000005